(57)【要約】【課題】適切に点検進捗を管理すること。【解決手段】一実施形態に係る点検管理システムは、点検者Ｕの点検進捗を管理する点検管理システム１であって、点検者Ｕが保持する携帯端末３と、携帯端末３と通信可能に接続し点検者Ｕの点検進捗を管理する点検管理サーバ１と、を備え、携帯端末３は、点検者Ｕが点検する点検対象を示す点検対象情報を取得する取得部と、点検者Ｕが点検対象に到着したか否かを判断する判断部と、点検者Ｕが点検対象に到着した場合に入力を受け付け点検結果として管理する点検結果管理部３３５と、を備える。【選択図】図１
2018180700.tif 000002
【特許請求の範囲】
【請求項１】
点検者の点検進捗を管理する点検管理システムであって、
点検者が保持する携帯端末と、
前記携帯端末と通信可能に接続し前記点検者の点検進捗を管理する点検管理サーバと、
を備え、
前記携帯端末は、
前記点検者が点検する点検対象を示す点検対象情報を取得する取得部と、
前記点検者が前記点検対象に到着したか否かを判断する判断部と、
前記点検者が前記点検対象に到着した場合に前記入力を受け付け前記点検結果として管理する点検結果管理部と、を備える、
点検管理システム。
【請求項２】
前記点検者が前記点検対象に到着した場合に当該点検対象における点検結果の入力を許容する判定部を更に備え、
前記点検結果管理部は、前記入力が許容された場合に前記入力を受け付け前記点検結果として管理する、
請求項１に記載の点検管理システム。
【請求項３】
前記点検対象は、前記点検者が点検する複数の点検対象を含み、
前記判定部は、前記判断部により前記点検者が第１点検対象に到着しなかったと判断された場合、前記第１点検対象における前記点検結果の入力を禁止し、且つ、前記第１点検対象の次に点検が実施される第２点検対象における前記点検結果の入力を禁止する、
請求項２に記載の点検管理システム。
【請求項４】
前記判断部は、前記点検対象に配置されたビーコン装置から送信されたビーコンの検出結果に基づいて、前記点検者が前記点検対象に到着したか否かを判断し、
前記判定部は、前記ビーコンが検出された場合に前記ビーコンが送信された前記点検対象における点検結果の入力を許容する、
請求項２又は請求項３に記載の点検管理システム。
【請求項５】
前記携帯端末は、
前記点検結果を入力する入力画面を予め定められた出力態様で出力するための出力情報を生成する出力情報生成部を更に備える、
請求項１から請求項４のいずれか一項に記載の点検管理システム。
【請求項６】
前記出力情報生成部は、前記点検者ごとに予め対応付けられた出力態様で前記入力画面を出力するための前記出力情報を生成する、
点検管理システム。
請求項５に記載の点検管理システム。
【請求項７】
前記出力情報生成部は、前記入力画面において、前記点検者が前記点検対象について実施する内容を示す点検内容を前記点検対象ごとに関連づけて出力するための前記出力情報を生成する、
点検管理システム。
請求項５又は請求項６に記載の点検管理システム。
【請求項８】
前記出力情報生成部は、前記入力画面において、前記点検対象に関連する過去発生した事例の説明情報を重ねて出力するための前記出力情報を生成する、
請求項５から請求項７のいずれか一項に記載の点検管理システム。
【請求項９】
前記出力情報生成部は、前記判断部より前記点検者が前記点検対象に到着したと判断されたとき、前記点検者が前記点検対象に到着した時間が前記点検対象に関連づけられた前記入力画面を出力するための前記出力情報を生成する、
請求項５から請求項８のいずれか一項に記載の点検管理システム。
【請求項１０】
前記出力情報生成部は、複数の点検対象を含むエリアマップであって、前記判定部により前記点検結果の入力が許容された点検対象を、前記判定部により前記点検結果の入力が許容されていない点検対象とは異なる形態で含むエリアマップを予め定められた出力態様で出力するための出力情報を生成する、
請求項５から請求項９のいずれか一項に記載の点検管理システム。
【請求項１１】
前記出力情報生成部は、前記点検結果の出力画面において、前記点検結果を、前記点検結果が入力された時間に関連づけて出力するための前記出力情報を生成する、
請求項５から請求項１０のいずれか一項に記載の点検管理システム。
【請求項１２】
前記携帯端末は、前記点検対象を撮像する撮像部を更に備え、
前記出力情報生成部は、前記点検結果の出力画面において、前記撮像部により撮像されることにより得られた前記点検対象を示す画像情報を前記点検対象に関連付けて出力するための前記出力情報を生成する、
請求項５から請求項１１のいずれか一項に記載の点検管理システム。
【請求項１３】
点検者の点検進捗を管理する点検管理サーバであって、
点検者が点検する点検対象について実施する内容を示す点検内容を設定する設定部と、
前記点検者が所定の順番で点検する複数の点検対象を含む一以上の点検ルートから特定の点検ルートを検索する検索部と、
前記特定の点検ルートに沿って実行された点検の結果を示す前記点検結果を前記点検履歴として管理する点検履歴管理部と、
を備える、
点検管理サーバ。
【請求項１４】
点検者が点検する点検対象を示す点検対象情報を取得する取得部と、
前記点検者が前記点検対象に到着したか否かを判断する判断部と、
前記点検者が前記点検対象に到着した場合に前記入力を受け付け前記点検結果として管理する点検結果管理部と、を備える、
携帯端末。
【請求項１５】
点検者が点検する点検対象を示す点検対象情報を取得するステップと、
前記点検者が前記点検対象に到着したか否かを判断するステップと、
前記点検者が前記点検対象に到着した場合に前記入力を受け付け前記点検結果として管理するステップと、を含む、
点検管理方法。
【請求項１６】
コンピュータを、
点検者が点検する点検対象を示す点検対象情報を取得する取得部と、
前記点検者が前記点検対象に到着したか否かを判断する判断部と、
前記点検者が前記点検対象に到着した場合に前記入力を受け付け前記点検結果として管理する点検結果管理部と、
して機能させるプログラム。
【発明の詳細な説明】
【技術分野】
【０００１】
本発明は、点検者の点検進捗を管理する点検管理システム、端末装置、点検管理方法、及びプログラムに関する。
【背景技術】
【０００２】
従来、ショッピングモールや百貨店、学校、及びプラント等の施設では、点検者が現場を巡回して施設内の設備の保全や管理データの収集等の点検作業を行っている。この場合、点検者は、点検対象を巡回して点検結果を記録する。
【０００３】
これに関して、特許文献１には、点検情報の表示及び入力を行う携帯端末と、携帯端末との間で点検情報の送受信を行うことで点検情報を管理する管理装置と、を備える点検管理システムであって、携帯端末は、各種情報を表示する表示部と、使用者の入力操作を受け付ける入力部と、入力部を介して点検項目ごとに点検結果の入力操作を受け付ける点検結果入力手段と、を備える点検管理システムが開示されている。
【先行技術文献】
【特許文献】
【０００４】
【特許文献１】特許２００１−１５９９１６号公報
【発明の概要】
【発明が解決しようとする課題】
【０００５】
特許文献１の点検管理システムにおいては、点検者が点検対象を巡回して点検結果を携帯端末に入力する。しかしながら、実際には点検者が点検対象において点検を実施していないにも関わらず、点検を実施していない点検対象において点検を実施したと偽って点検結果を携帯端末に入力することが可能である。このように、当該点検管理システムにおいては、点検者が点検結果を偽って入力すると、点検を実施していない点検対象が点検済であると管理されてしまう。つまり、適切に点検進捗を管理することができないおそれがあった。
【０００６】
本発明は、上記の事情に鑑みてなされたものであり、適切に点検進捗を管理できる点検管理システム、端末装置、点検管理方法、及びプログラムを提供することを目的の一つとする。
【課題を解決するための手段】
【０００７】
一実施形態に係る点検管理システムは、点検者の点検進捗を管理する点検管理システムであって、点検者が保持する携帯端末と、前記携帯端末と通信可能に接続し前記点検者の点検進捗を管理する点検管理サーバと、を備え、前記携帯端末は、前記点検者が点検する点検対象を示す点検対象情報を取得する取得部と、前記点検者が前記点検対象に到着したか否かを判断する判断部と、前記点検者が前記点検対象に到着した場合に前記入力を受け付け前記点検結果として管理する点検結果管理部と、を備える。
また、上記点検管理システムにおいて、前記点検者が前記点検対象に到着した場合に当該点検対象における点検結果の入力を許容する判定部を更に備え、前記点検結果管理部は、前記入力が許容された場合に前記入力を受け付け前記点検結果として管理してもよい。
【０００８】
上記点検管理システムにおいて、前記点検対象は、前記点検者が点検する複数の点検対象を含み、前記判定部は、前記判断部により前記点検者が第１点検対象に到着しなかったと判断された場合、前記第１点検対象における前記点検結果の入力を禁止し、且つ、前記第１点検対象の次に点検が実施される第２点検対象における前記点検結果の入力を禁止する。
【０００９】
上記点検管理システムにおいて、前記判断部は、前記点検対象に配置されたビーコン装置から送信されたビーコンの検出結果に基づいて、前記点検者が前記点検対象に到着したか否かを判断し、前記判定部は、前記ビーコンが検出された場合に前記ビーコンが送信された前記点検対象における点検結果の入力を許容する。
【００１０】
上記点検管理システムにおいて、前記携帯端末は、前記点検結果を入力する入力画面を予め定められた出力態様で出力するための出力情報を生成する出力情報生成部を更に備える。
【００１１】
上記点検管理システムにおいて、前記出力情報生成部は、前記点検者ごとに予め対応付けられた出力態様で前記入力画面を出力するための前記出力情報を生成する。
【００１２】
上記点検管理システムにおいて、前記出力情報生成部は、前記入力画面において、前記点検者が前記点検対象について実施する内容を示す点検内容を前記点検対象ごとに関連づけて出力するための前記出力情報を生成する。
【００１３】
上記点検管理システムにおいて、前記出力情報生成部は、前記入力画面において、前記点検対象に関連する過去発生した事例の説明情報を重ねて出力するための前記出力情報を生成する。
【００１４】
上記点検管理システムにおいて、前記出力情報生成部は、前記判断部より前記点検者が前記点検対象に到着したと判断されたとき、前記点検者が前記点検対象に到着した時間が前記点検対象に関連づけられた前記入力画面を出力するための前記出力情報を生成する。
【００１５】
上記点検管理システムにおいて、前記出力情報生成部は、複数の点検対象を含むエリアマップであって、前記判定部により前記点検結果の入力が許容された点検対象を、前記判定部により前記点検結果の入力が許容されていない点検対象とは異なる形態で含むエリアマップを予め定められた出力態様で出力するための出力情報を生成する。
【００１６】
上記点検管理システムにおいて、前記出力情報生成部は、前記点検結果の出力画面において、前記点検結果を、前記点検結果が入力された時間に関連づけて出力するための前記出力情報を生成する。
【００１７】
上記点検管理システムにおいて、前記携帯端末は、前記点検対象を撮像する撮像部を更に備え、前記出力情報生成部は、前記点検結果の出力画面において、前記撮像部により撮像されることにより得られた画像情報を前記点検対象に関連付けて出力するための前記出力情報を生成する。
【００１８】
一実施形態に係る点検管理サーバは、点検者の点検進捗を管理する点検管理サーバであって、点検者が点検する点検対象について実施する内容を示す点検内容を設定する設定部と、前記点検者が所定の順番で点検する複数の点検対象を含む一以上の点検ルートから特定の点検ルートを検索する検索部と、前記特定の点検ルートに沿って実行された点検の結果を示す前記点検結果を前記点検履歴として管理する点検履歴管理部と、を備える。
【００１９】
一実施形態に係る携帯端末は、点検者が点検する点検対象を示す点検対象情報を取得する取得部と、前記点検者が前記点検対象に到着したか否かを判断する判断部と、前記点検者が前記点検対象に到着した場合に前記入力を受け付け前記点検結果として管理する点検結果管理部と、を備える。
【００２０】
一実施形態に係る点検管理方法は、点検者が点検する点検対象を示す点検対象情報を取得するステップと、前記点検者が前記点検対象に到着したか否かを判断するステップと、前記点検者が前記点検対象に到着した場合に前記入力を受け付け前記点検結果として管理するステップと、を含む。
【００２１】
一実施形態に係るプログラムは、コンピュータを、点検者が点検する点検対象を示す点検対象情報を取得する取得部と、前記点検者が前記点検対象に到着したか否かを判断する判断部と、前記点検者が前記点検対象に到着した場合に前記入力を受け付け前記点検結果として管理する点検結果管理部と、して機能させる。
【００２２】
なお、各実施形態において、「部」、「装置」、「システム」とは、単に物理的手段を意味するものではなく、その「部」、「装置」、「システム」が有する機能をソフトウェアによって実現する場合も含む。また、１つの「部」、「装置」、「システム」が有する機能が２つ以上の物理的手段や装置により実現されても、２つ以上の「部」、「装置」、「システム」の機能が１つの物理的手段や装置により実現されてもよい。
【発明の効果】
【００２３】
本発明によれば、適切に点検進捗を管理することができる。
【図面の簡単な説明】
【００２４】
【図１】実施形態に係る点検管理システムの概略構成の一例を示すブロック図。
【図２】実施形態に係るエリアマップの一例を示す図。
【図３】実施形態に係る携帯端末の概略構成の一例を示すブロック図。
【図４】実施形態に係る点検進捗管理処理のフローチャートの一例を示す図。
【図５】実施形態に係る携帯端末の入出力部に出力されるログイン画面の一例を示す図。
【図６】実施形態に係る携帯端末の入出力部に出力される点検ルート選択画面の一例を示す図。
【図７】実施形態に係る携帯端末の入出力部に出力される点検作業選択画面の一例を示す図。
【図８】実施形態に係る携帯端末の入出力部に出力される点検結果入力画面の一例を示す図。
【図９】実施形態に係る携帯端末の入出力部に出力される点検結果入力画面の一例を示す図。
【図１０】実施形態に係る携帯端末の入出力部に出力される点検結果入力画面及びエリアマップの一例を示す図。
【図１１】実施形態に係る携帯端末がビーコン発生装置からのビーコンを受信する状況を示す図、及び、携帯端末の入出力部に出力される点検結果入力画面の一例を示す図。
【図１２】実施形態に係る携帯端末がビーコン発生装置からのビーコンを受信する状況を示す図、及び、携帯端末の入出力部に出力されるログイン画面の一例を示す図。
【図１３】実施形態に係る携帯端末の入出力部に出力される点検結果入力画面及びエリアマップの一例を示す図。
【図１４】実施形態に係る携帯端末の入出力部に出力される点検作業選択画面の一例を示す図。
【図１５】実施形態に係る携帯端末の入出力部に出力される点検履歴管理画面の一例を示す図。
【図１６】実施形態に係る携帯端末の入出力部に出力される点検履歴詳細画面の一例を示す図。
【図１７】実施形態に係る携帯端末の入出力部に出力される現場画像画面の一例を示す図。
【図１８】実施形態に係る携帯端末の入出力部に出力される点検作業選択画面及び緊急通知画面の一例を示す図。
【図１９】実施形態に係る携帯端末の入出力部に出力される点検作業選択画面の一例を示す図。
【発明を実施するための形態】
【００２５】
以下、図面を参照して、一実施形態を説明する。ただし、以下に説明する実施形態は、あくまでも例示であり、以下に明示しない種々の変形や技術の適用を排除する意図はない。すなわち、本発明は、その趣旨を逸脱しない範囲で種々変形して実施することができる。また、一連の図面の記載において、同一または類似の部分には同一または類似の符号を付して表している。
【００２６】
［点検管理システムの全体構成］
図１は、一実施形態に係る点検者の点検進捗を管理する点検管理システムの概略構成の一例を示すブロック図である。図１に示すように、点検管理システム１００は、例示的に、点検者Ｕが保持する携帯端末３と、携帯端末３と所定の通信ネットワークＮを介して通信可能に接続し点検者Ｕの点検進捗を管理する点検管理サーバ１と、備える。なお、通信ネットワークＮは、インターネット、パケット通信網、回線通信網の組み合わせであってもよく、少なくとも携帯端末３との通信部分は無線であるが、その他の網は、有線及び無線の少なくとも一方を含む。また、図１では、一例として、携帯端末３について２台を記載しているが、台数は任意であり、３台以上又は１台となるように構成することができる。さらに、点検者Ｕは、必ずしも人である必要はなく、例えば、点検作業を実施可能なロボット等の人の代わりに自律的に作業可能な装置等を含んでもよい。
【００２７】
図２は、実施形態に係る複数の点検対象を含むエリアマップの一例を示す図である。図２に示すエリアマップＭは、例えば学校の一フロアを示すエリアマップである。エリアマップＭには、点検者Ｕが点検する複数の点検対象の一例である、第１出入口、第２出入口、及び第３出入口を含む点検ルートＲＴが示されている。点検者Ｕは、図１に示す点検管理サーバ１から取得した点検ルートＲＴに沿って、第１出入口、第２出入口、第３出入口の順番で点検し、点検者Ｕは、第１出入口、第２出入口、及び第３出入口のそれぞれに対して実施する点検の結果を携帯端末３に点検対象ごとに記録し、管理する。そして、点検者Ｕは、携帯端末３から点検結果を点検管理サーバ１に転送し、点検管理サーバ１は点検結果を点検者の点検進捗として管理する。
【００２８】
なお、点検ルートＲＴは、第１出入口、第２出入口、及び第３出入口の点検対象の他、教室Ｒ００１〜０１３のドアや窓、階段、トイレＷＣのドアや窓、及びエレベータＥＶの扉や当該扉の開閉ボタン等を含む操作パネル等の少なくとも一つを含んでもよい。
【００２９】
図２に示すエリアマップＭの点検ルートＲＴは、同一フロア内のみに存在する点検対象を含む点検ルートを示しているが、これに限られず、複数のフロアのそれぞれに配置されている点検対象を含む一連の点検ルート、つまり、複数のフロアに跨る点検ルートを含んでもよい。また、点検ルートＲＴは、複数の異なる施設に跨る点検ルートを含んでもよい。
以下では、本実施形態における点検管理サーバ及び携帯端末の構成の詳細について説明する。
【００３０】
［点検管理サーバの構成］
図１に戻り、点検管理サーバ１は、例示的に、点検者の点検進捗を管理するための情報処理を実行する情報処理部１１と、点検進捗を管理するための情報処理に利用される各種情報を記録する記録部１３と、携帯端末３と所定の通信ネットワークＮを介して通信するための通信部１５と、を備える。なお、点検管理サーバ１は、ＣＰＵ、ＲＯＭ、ＲＡＭ、ＨＤＤ等のハードウェアを備える汎用又は専用のコンピュータシステムにより構成することができ、例えば、ＣＰＵが、メモリに記憶された所定のプログラムを実行することにより上記各部が実現される。また、点検管理サーバ１は、単一のコンピュータより構成されるものであっても、通信ネットワークＮ上に分散した複数のコンピュータより構成されるものであってもよい。なお、記録部１３が記録する点検情報については、図１に示す携帯端末３に送信され、点検の進捗が管理される。
【００３１】
情報処理部１１は、機能的に、携帯端末３からの要求に基づいて点検者Ｕの認証処理を実行する認証処理部１１１と、点検者Ｕが点検対象について実施する内容を示す点検内容を設定及び変更可能に構成されている点検内容設定部１１３（設定部）と、点検者Ｕが所定の順番で点検する複数の点検対象を含む一以上の点検ルートから、携帯端末３からの要求に基づいて特定の点検ルートを検索する点検ルート検索部１１５（検索部）と、特定の点検ルートに沿って実行された点検の結果を示す点検結果を点検履歴として管理する点検履歴管理部１１７と、を含んで構成される。
【００３２】
記録部１３は、例えば、点検者情報ＵＩと、点検内容情報ＴＩと、点検履歴情報ＨＩと、を記録する。記録部１３は、必要に応じて、点検者情報ＵＩと、点検内容情報ＴＩと、点検履歴情報ＨＩと、を互いに関連づけて記録してもよい。点検者情報ＵＩは、点検者Ｕごとの氏名、名称、及びＩＤ等の識別情報、点検者Ｕごとのパスワード、及び、点検者Ｕごとに対応づけられた点検作業選択画面及び点検結果入力画面を生成するための画面情報等を含む。
【００３３】
点検内容情報ＴＩは、例えば、点検項目（点検対象）情報ＣＩと、点検ブロック情報ＢＩと、点検ルート情報ＲＩと、マップ情報ＭＩと、を含む情報である。点検項目情報ＣＩは、あるフロアの出入口等を含む点検対象の名称情報やＩＤ等の識別情報及び点検対象の位置情報を含む情報である。
【００３４】
点検ブロック情報ＢＩとは、複数の点検対象を含む点検ブロックを示す情報であり、点検ブロックの名称情報やＩＤ等の識別情報、並びに、点検ブロックそれぞれに含まれる点検対象の名称情報やＩＤ等の識別情報、及び、当該点検対象の位置情報を含む情報である。点検ブロックとは、例えば、図２を参照すると、同一フロアに位置する第１出入口、第２出入口、及び第３出入口という複数の点検対象をグルーピングしたものを含む。なお、点検ブロックは、同一フロアに位置する複数の点検対象のみを含むものである必要はなく、異なる階に位置する点検対象や異なる施設に跨って位置する点検対象を含むものであってもよい。
【００３５】
点検ルート情報ＲＩとは、一以上の点検対象を含む点検ルートを示す情報である。点検ルート情報ＲＩは、例えば、点検ルートに含まれる複数の点検対象の点検の順番等を含む。点検ルート情報ＲＩは、点検ルートに含まれる複数の点検対象に対応する点検項目（点検対象）情報ＣＩ及び点検ブロック情報ＢＩを点検の順番と関連づけて記録してもよい。
【００３６】
マップ情報ＭＩとは、一以上の点検対象を含むエリアマップを示す情報である。マップ情報ＭＩは、例えば、図２に示すエリアマップＭを示す情報を含む。
【００３７】
点検履歴情報ＨＩとは、携帯端末３から送信される、点検ルートに沿って実行された点検の結果を示す点検結果を含む情報である。記録部１３は、点検履歴情報ＨＩとして、点検者ごとに点検対象ごとの点検結果を記録してもよい。また、記録部１３は、後述する撮像部３９により点検対象が撮像されることにより得られた点検対象を示す現場画像情報ＧＩを点検履歴情報ＨＩとして記録してもよい。
【００３８】
通信部１５は、通信ネットワークＮを介して、携帯端末３と各種情報を送受信可能に構成されている。通信部１５は、例えば、携帯端末３からの要求信号や携帯端末３から転送された点検結果を点検履歴として受信する。他方、通信部１５は、点検者Ｕごとに対応づけられた点検結果入力画面を生成するための点検結果入力画面情報を含む点検者情報ＵＩや点検内容情報ＴＩを携帯端末３に送信する。
【００３９】
［携帯端末の構成］
図３は、実施形態に係る携帯端末の概略構成の一例を示すブロック図である。図３に示すように、携帯端末３は、例示的に、図１に示す点検管理サーバ１と所定の通信ネットワークＮを介して通信するための通信部３１と、点検者の点検結果を管理するための情報処理を実行する情報処理部３３と、情報の入出力を実行する入出力部３５と、点検者の点検結果を管理するための各種情報を記録する記録部３７と、点検対象を撮像する撮像部３９と、を備える。なお、携帯端末３は、その構成に特に限定はないが、例えば、スマートフォン、携帯電話、ＰＤＡ、ＰＣ、又はその他の端末装置が該当する。携帯端末３は、ＣＰＵ、ＲＯＭ、ＲＡＭ、ＨＤＤ等のハードウェアを備える汎用又は専用のコンピュータを含んで構成することができ、例えば、ＣＰＵが、ＲＯＭ等に記憶されたプログラムを実行し、入力されたデータやＲＡＭに展開されたデータを用いて処理することで、上記情報処理部３３を実現することができる。
【００４０】
通信部３１（取得部）は、通信ネットワークＮを介して図１に示す点検管理サーバ１から、少なくとも、点検者が点検する点検対象を示す点検項目情報ＣＩ（点検対象情報）を取得する。通信部３１は、図１に示す点検内容情報ＴＩを取得するように構成されてもよい。また、通信部３１は、点検者から入力された点検結果を点検管理サーバ１に送信する。
【００４１】
情報処理部３３は、機能的に、例えば、点検者が点検対象に到着したか否かを判断する到着判断部３３１（判断部）と、点検対象における点検結果の入力を許可するか否かを判定する入力可否判定部３３３（判定部）と、入力可否判定部３３３により点検結果の入力が許容された場合に入力を受け付け管理する点検結果管理部３３５と、所定の画面を予め定められた出力態様で出力するための出力情報を生成する出力情報生成部３３７と、を含んで構成される。
【００４２】
入力可否判定部３３３は、例えば、到着判断部３３１により点検者が複数の点検対象のうち第１点検対象に到着しなかったと判断された場合、第１点検対象における点検結果の入力を禁止し、且つ、第１点検対象の次に点検が実施される第２点検対象における点検結果の入力を禁止するように構成されてもよい。このように点検結果の入力を禁止することで、点検者に対して点検ルートに沿って正確に点検を実行させることでき、且つ、点検結果も適切に管理することができる。
【００４３】
出力情報生成部３３７は、点検結果を入力する入力画面、及び、点検結果の出力画面を予め定められた出力態様で出力するための出力情報を生成する。また、出力情報生成部３３７は、複数の点検対象を含むエリアマップを予め定められた出力態様で出力するための出力情報を生成する。
【００４４】
入出力部３５は、例えば、入力部としての操作キーや出力部と一体に構成されるタッチパネルディスプレイ等から構成されている。入力部は、点検者からの操作情報や点検結果の入力を受け付ける。また、入出力部３５は、例えばディスプレイを備え、出力情報生成部３３７が生成した出力情報に基づいてディスプレイ上に画像やテキスト等を表示（出力）する。入出力部３５は、例えばログイン画面（図５参照）、点検作業選択画面（図７及び１４参照）、点検結果入力画面（図８及び９等参照）、点検履歴管理画面（図１５参照）等をディスプレイ上に表示する。
【００４５】
記録部３７は、点検結果管理部３３５が受け付けた点検結果を点検結果情報ＫＩとして記録し、また、撮像部３９により点検対象が撮像されることにより得られた点検対象を示す現場画像情報ＧＩ（画像情報）を記録する。記録部３７は、点検対象ごとに点検結果情報ＫＩ及び現場画像情報ＧＩを記録する。
【００４６】
［点検進捗管理処理］
図４〜図１９を用いて、実施形態に係る点検進捗管理処理フローを説明する。図４は、実施形態に係る点検進捗管理処理フローの一例を示すフローチャートである。
【００４７】
本実施形態に係る点検進捗管理処理フローにおいて、前提として、点検管理システム１００のオペレータは、例えば、ネットワークの所定のサイトから、本実施形態に係る点検進捗管理処理アプリケーションソフトウェアをダウンロードし、点検管理サーバ１に実行可能なように保存しておく。そして、オペレータにより点検進捗管理処理アプリケーションソフトウェアの実行が指示されると、点検進捗管理処理アプリケーションソフトウェアに基づくプログラム動作が開始する。携帯端末３においても、点検管理システム１００の要素として適切に作動するように事前にアプリケーションソフトウェアを実行する。このように、点検管理サーバ１と携帯端末３とは、通信ネットワークＮを介して点検進捗管理処理を実行可能に通信できる。
【００４８】
また、点検進捗管理処理フローにおいては、図１に示す点検内容設定部１１３により点検者が点検する点検対象を含む点検ルート等は事前に設定され、記録部１３に点検内容情報ＴＩとして記録されている。
【００４９】
（図４のステップＳＤ１）
携帯端末３は、点検者の操作情報に基づいてログイン処理を実行する。
【００５０】
図５は、本実施形態に係る携帯端末の入出力部に出力されるログイン画面の一例を示す図である。図５に示すように、例えば携帯端末３の入出力部３５は、ログイン画面Ｓ１を出力し、点検者からＩＤ及びパスワードが入力され、ログインボタンＢ１が押されると、ログイン処理を開始する。図３に示す携帯端末３の通信部３１は、ＩＤ及びパスワードを点検管理サーバ１に送信する。
【００５１】
（図４のステップＳＳ１）
図１に示す点検管理サーバ１の通信部１５が認証処理の要求信号としてＩＤ及びパスワードを受信すると、点検管理サーバ１の認証処理部１１１は、記録部１３に記録されている点検者情報ＵＩを参照して、携帯端末３を使用する点検者について認証処理を実行する。
【００５２】
（ステップＳＳ３）
ステップＳＳ１の認証処理が完了すると、点検管理サーバ１の通信部１５は、点検内容情報ＴＩを携帯端末３に送信する。
【００５３】
（ステップＳＤ３）
携帯端末３の通信部３１は、点検内容情報ＴＩを取得する。点検内容情報ＴＩは、図１に示すように、点検項目（点検対象）情報ＣＩと、点検ブロック情報ＢＩと、点検ルート情報ＲＩと、マップ情報ＭＩと、を含んでいる。点検者は、これらの情報に基づいて、点検ルートに沿って適切に点検対象を点検することができる。
【００５４】
（ステップＳＳ５）
ステップＳＳ１の認証処理が完了すると、点検管理サーバ１の通信部１５は、点検者ごとに対応づけられた点検作業選択画面（図７及び１４参照）及び点検結果入力画面（図８及び９等参照）を生成するための画面情報を送信する。
【００５５】
（ステップＳＤ５）
携帯端末３の通信部３１は、点検作業選択画面及び点検結果入力画面を生成するための画面情報を取得する。
図６は、本実施形態に係る携帯端末の入出力部に出力される点検ルート選択画面の一例を示す図である。図６に示すように、図３に示す携帯端末３の出力情報生成部３３７は、点検管理サーバ１からの画面情報に基づいて、点検ルート選択画面Ｓ２を生成する出力情報を生成する。
【００５６】
（ステップＳＤ７）
図７は、本実施形態に係る携帯端末の入出力部に出力される点検作業選択画面の一例を示す図である。図７に示すように、図３に示す携帯端末３の出力情報生成部３３７は、点検管理サーバ１からの画面情報に基づいて、図１に示す点検管理サーバ１の認証処理部１１１により認証処理された点検者又は当該点検者の携帯端末３に対応づけられた点検作業選択画面Ｓ３を生成する出力情報を生成する。そして、入出力部３５に点検作業選択画面Ｓ３が出力される。点検作業選択画面Ｓ３においては、選択可能な項目が、作業が未完了であるＳ棟３Ｆ、Ｓ棟２Ｆ、及びＳ棟１Ｆというブロックごとに表示されている。ここで、点検者が点検作業選択画面Ｓ３上のブロック：Ｓ棟／３Ｆにおける点検作業を実施することを希望し、選択ボタンＢ３を選択すると、ステップＳＤ９に進む。
【００５７】
（ステップＳＤ９）
図８は、本実施形態に係る携帯端末の入出力部に出力される閉館業務Ａ／Ｓ棟／３Ｆにおける点検作業の点検結果入力画面の一例を示す図である。図８（Ａ）は、点検作業に関して熟練度が高い点検者ＵＡに対応づけられた点検結果入力画面の一例を示す図である。図８（Ｂ）は、点検作業に関して点検者ＵＡに比べて熟練度が低い点検者ＵＢに対応づけられた点検結果入力画面の一例を示す図である。図８（Ａ）及び（Ｂ）に示すように、図３に示す出力情報生成部３３７は、点検管理サーバ１からの画面情報に基づいて、図１に示す点検管理サーバ１の認証処理部１１１により認証処理された点検者ＵＡ，ＵＢ又は当該点検者ＵＡ，ＵＢの携帯端末に対応づけられた点検結果入力画面Ｓ５Ａ及びＳ５Ｂを生成する出力情報を生成する。そして、入出力部３５に点検結果入力画面Ｓ５が出力される。
【００５８】
具体的に、図８（Ａ）に示す熟練度が高い点検者ＵＡに対応づけられた点検結果入力画面Ｓ５Ａは、点検結果を入力するための入力ボタンＤ１Ａと、点検結果に関するテキストを入力可能なコメント欄Ｃ１と、点検結果の入力完了を指示するための入力完了ボタンＢ７Ａと、を含んで構成される。また、図８（Ｂ）に示す点検者ＵＡに比べて熟練度が低い点検者ＵＢ用の点検結果入力画面Ｓ５Ｂには、入力ボタンＤ１Ｂ、コメント欄、及び入力完了ボタンＢ７Ｂに加えて、点検者ＵＢがＳ棟３Ｆの第１出入口（点検対象）について実施する内容を示す点検内容を含む画像Ｇ１が点検対象ごとに関連づけられて含まれる。このような点検結果入力画面Ｓ５Ｂを出力するための出力情報を生成すれば、熟練度が低い点検者であっても、点検内容を容易に把握できるので、正確に点検作業を遂行することができる。
【００５９】
図９は、本実施形態に係る携帯端末の入出力部に出力される点検結果入力画面の一例を示す図である。図９に示すように、図３に示す出力情報生成部３３７は、点検管理サーバ１からの画面情報に基づいて、図１に示す点検管理サーバ１の認証処理部１１１により認証処理された点検者ＵＣ又は当該点検者ＵＣの携帯端末に対応づけられた点検結果入力画面Ｓ５Ｃを生成する出力情報を生成する。具体的には、点検結果入力画面Ｓ５Ｃにおいては、Ｓ棟３Ｆの第１出入口（点検対象）に関連する過去発生した事例の説明情報を含む画像Ｇ３を重ねて出力されている。そして、入出力部３５に点検結果入力画面Ｓ５Ｃが出力される。なお、点検者ＵＡと点検者ＵＢと点検者ＵＣとを総称するときには点検者Ｕと表記する。また、点検結果入力画面Ｓ５Ａと点検結果入力画面Ｓ５Ｂと点検結果入力画面Ｓ５Ｃとを総称するときには点検結果入力画面Ｓ５と表記する。
【００６０】
図１０（Ａ）は、実施形態に係る携帯端末の入出力部に出力される点検結果入力画面の一例を示す図であり、図１０（Ｂ）は、実施形態に係る携帯端末の入出力部に出力されるエリアマップの一例を示す図である。図１０（Ａ）及び（Ｂ）に示すように、図３に示す出力情報生成部３３７は、点検管理サーバ１からの画面情報に基づいて、点検対象を示すアイコンＩ１〜Ｉ３を含む点検結果入力画面Ｓ５Ａを生成する出力情報を生成し、また、図１に示す点検管理サーバ１からの点検内容情報ＴＩが含むマップ情報ＭＩに基づいて、点検ルートＲＴ上に位置する点検対象を示すアイコンＩ１〜Ｉ３を含むエリアマップＭを生成するための出力情報を生成する。ここで、図１０（Ａ）のアイコンＩ１〜Ｉ３が示す点検対象と、図１０（Ｂ）のアイコンＩ１〜Ｉ３が示す点検対象とは、対応している。また、図１０（Ａ）に示すように、点検者の指Ｆが入出力部３５のディスプレイ上をスワイプすると、入出力部３５のディスプレイ上において点検結果入力画面Ｓ５ＡがエリアマップＭに切り換わるように構成されてもよい。このように構成されると、点検者にとって、点検対象がエリアマップ上のどの位置に配置されているか、及び点検済か未点検かが一見して把握容易になり、点検者が点検ルートＲＴに沿って正確に点検することができる。
【００６１】
（ステップＳＤ１１及びＳＤ１３）
図３に示す携帯端末３の到着判断部３３１は、点検者が点検対象に到着したか否かを判断する。到着判断部３３１は、例えば、点検対象に配置されたビーコン装置から送信されたビーコンの検出結果に基づいて、点検者が点検対象に到着したか否かを判断する。ここで、ビーコン装置は、点検対象に配置されているのでビーコン装置の位置は、点検対象の位置である。図１に示す点検内容情報ＴＩの点検項目情報ＣＩには、点検対象の位置情報と関連付けてビーコン装置の位置情報も含まれている。到着判断部３３１は、携帯端末３がビーコン装置からビーコン装置の位置情報を含むビーコンを受信すると、点検管理サーバ１から取得された点検内容情報ＴＩを参照することで、当該ビーコン装置の位置に対応する位置の点検対象を特定することができる。このように、到着判断部３３１は、点検者が携帯する携帯端末３がビーコンを受信すれば、点検者が当該ビーコンを送信するビーコン装置の位置に対応する位置にある点検対象に到着したと判断できる。また、到着判断部３３１は、点検者が携帯する携帯端末３がビーコンを受信すれば、点検者が当該ビーコンを送信するビーコン装置の位置に対応する位置を含む点検ブロックに到着したと判断する。
【００６２】
入力可否判定部３３３は、到着判断部３３１により点検者が点検対象に到着しなかったと判断された場合（Ｎｏの場合）に当該点検対象における点検結果の入力を禁止し、再度、到着判断部３３１は、点検者が点検対象に到着したか否かを判断する。他方、入力可否判定部３３３は、到着判断部３３１により点検者が点検対象に到着したと判断された場合（Ｙｅｓの場合）に当該点検対象における点検結果の入力を許容する。
【００６３】
図１１（Ａ）は、実施形態に係る携帯端末のビーコンの受信状況の一例を示す図である。図１１（Ｂ）は、携帯端末においてビーコンが検出された場合に携帯端末の入出力部に出力される点検結果入力画面の一例を示す図である。図１１（Ａ）に示すように、点検者ＵＡの携帯端末３の到着判断部３３１は、第１出入口６０（点検対象）に配置されたビーコン装置５０から送信されたビーコンを１１時５８分１８に受信すると、点検者ＵＡが第１出入口６０に到着したと判断する。そして、入力可否判定部３３３は、当該第１出入口６０における点検結果の入力を許容する。
【００６４】
図１１（Ｂ）に示すように、入力可否判定部３３３により当該第１出入口６０における点検結果の入力が許容されると、点検者ＵＡは、点検結果として、点検結果を入力するための入力ボタンＤ１Ａの「施錠」が選択することができる。そして、図３に示す出力情報生成部３３７は、入力ボタンＤ１Ａの「施錠」が選択された時間Ｔ１（１１時５８分１８）が第１出入口６０に関連づけられた点検結果入力画面Ｓ５Ａを出力するための出力情報を生成する。
【００６５】
なお、図１１（Ｂ）に示すカメラ起動ボタンＢ９を点検者ＵＡが選択すると、カメラが起動し、図３に示す撮像部３９により第１出入口６０を撮像可能となる。そして、撮像部３９により撮像されることで取得された画像情報は、現場画像情報ＧＩとして記録部３７に記録される。
【００６６】
図１２（Ａ）は、実施形態に係る携帯端末のビーコンの受信状況の一例を示す図である。図１２（Ｂ）は、携帯端末においてビーコンが検出された場合に携帯端末の入出力部に出力される点検者ＵＢの点検結果入力画面の一例を示す図である。図１２（Ａ）に示すように、点検者ＵＢの携帯端末３の到着判断部３３１は、第１出入口６０（点検対象）に配置されたビーコン装置５０から送信されたビーコンを１１時５８分１８に受信すると、点検者ＵＢが第１出入口６０に到着したと判断する。そして、入力可否判定部３３３は、当該第１出入口６０における点検結果の入力を許容する。
【００６７】
図１１（Ｂ）に示すように、入力可否判定部３３３により当該第１出入口６０における点検結果の入力が許容されると、点検者ＵＢは、点検結果として、画像Ｇ１において、Ｓ棟３Ｆの第１出入口（点検対象）に対する点検内容の各項目の選択（チェック）が完了すると、入力ボタンＤ１Ａの「施錠」が自動的に選択されるように構成される。そして、図３に示す出力情報生成部３３７は、画像Ｇ１において、Ｓ棟３Ｆの第１出入口（点検対象）に対する点検内容の各項目の選択（チェック）が完了した時間Ｔ１（１１時５８分１８）が第１出入口６０に関連づけられた点検結果入力画面Ｓ５Ａを出力するための出力情報を生成する。
【００６８】
また、到着判断部３３１は、ビーコンの受信状況に基づく判断方法以外の方法でも点検者が点検対象に到着したか否かを判断してもよい。例えば、不図示であるが、点検対象において点検対象の位置情報を含むバーコードを付与し、バーコード読取部を備える携帯端末が当該バーコードを読み取ることによって、点検者が点検対象に到着したか否かを判断する。ここで、図１に示す点検内容情報ＴＩの点検項目情報ＣＩには、点検対象の位置情報と関連付けてバーコードの位置情報も含まれてもよい。到着判断部３３１は、携帯端末３が点検対象に付与された、バーコードの位置情報を含むバーコードを読み取ると、点検管理サーバ１から取得された点検内容情報ＴＩを参照することで、読み取られたバーコードの位置に対応する位置の点検対象を特定することができる。このように、到着判断部３３１は、点検者が携帯する携帯端末３がバーコードを読み取れば、点検者が当該バーコードの位置に対応する位置にある点検対象に到着したと判断できる。
【００６９】
図１３（Ａ）は、実施形態に係る携帯端末の入出力部に出力される、第１出入口施錠の点検が完了した後の点検結果入力画面の一例を示す図であり、図１３（Ｂ）は、実施形態に係る携帯端末の入出力部に出力される、第１出入口施錠の点検が完了した後のエリアマップの一例を示す図である。図１３（Ａ）及び（Ｂ）に示すように、図３に示す出力情報生成部３３７は、点検管理サーバ１からの画面情報及び入力された点検結果に基づいて、点検対象を示すアイコンＩ１〜Ｉ３を含む点検結果入力画面Ｓ５Ａを生成する出力情報を生成し、また、図１に示す点検管理サーバ１からの点検内容情報ＴＩが含むマップ情報ＭＩに基づいて、点検ルートＲＴ上に位置する点検対象を示すアイコンＩ１〜Ｉ３を含むエリアマップＭを生成するための出力情報を生成する。より具体的に、出力情報生成部３３７は、入力可否判定部３３３により点検結果の入力が許容された第１出入口（点検対象）のアイコンＩ１を、入力可否判定部３３３により点検結果の入力が許容されていない点検対象である第２出入口及び第３出入口のアイコンＩ２及びＩ３とは異なる形態で含むエリアマップＭを予め定められた出力態様で出力するための出力情報を生成する。このように構成されると、点検者にとって、点検者が点検を完了した点検対象がエリアマップ上のどの位置に配置されているか一見して把握容易になり、点検者が残りの点検対象に対する点検を正確に実施することができる。
【００７０】
図１４は、本実施形態に係る携帯端末の入出力部に出力される、閉館業務Ａ／Ｓ棟／３Ｆにおける点検作業が完了した場合の点検作業選択画面の一例を示す図である。図１４に示すように、図３に示す携帯端末３の出力情報生成部３３７は、閉館業務Ａ／Ｓ棟／３Ｆにおける点検作業が完了した場合、つまり、Ｓ棟／３Ｆの第１出入口、第２出入口、及び第３出入口の施錠がすべて完了した場合、点検管理サーバ１からの画面情報及び点検者から入力された点検結果に基づいて、閉館業務Ａ／Ｓ棟／３Ｆにおける点検作業が完了した場合の点検作業選択画面Ｓ３を生成する出力情報を生成する。具体的には、図６に示す点検作業選択画面Ｓ３においては、閉館業務Ａ／Ｓ棟／３Ｆにおける点検作業は「未完了」であったが、図１４に示す点検作業選択画面Ｓ３においては、閉館業務Ａ／Ｓ棟／３Ｆにおける点検作業は「完了」したことが確認できる。また、閉館業務Ａ／Ｓ棟／３Ｆにおける点検作業は「完了」しているので、例えば図１４の点検作業選択画面Ｓ３におけるボタンＢ３は選択することができないように構成されてもよい。
【００７１】
（図４のステップＳＤ１５）
図４に戻り、図３に示す携帯端末３の点検結果管理部３３５は、点検結果の入力が許容された場合に当該入力を受け付け点検結果として管理する。点検結果管理部３３５は、入力された点検結果を記録部３７に点検結果情報ＫＩとして記録するように構成される。点検結果情報ＫＩには、点検結果として、点検者が点検対象に到着した日時及び実際に点検結果が入力された日時の少なくとも一方が含まれる。
【００７２】
（ステップＳＤ１７）
図３に示す携帯端末３の通信部３１は、記録部３７に記録された点検結果情報ＫＩを点検管理システム１に送信する。
【００７３】
（ステップＳＳ７）
図１に示す点検管理システム１の通信部１５は、携帯端末３からの点検結果情報ＫＩを受信する。
【００７４】
（ステップＳＳ９）
点検管理システム１の点検履歴管理部１１７は、各点検者のそれぞれに提供された点検ルートに沿って実行された点検の結果を示す点検結果を図１に示す点検履歴情報ＨＩとして管理する。
【００７５】
（ステップＳＳ１１）
点検管理システム１の通信部１５は、携帯端末３からの要求に応じて、記録部１３に記録された点検履歴情報ＨＩを不図示の点検管理サーバ１の表示部において点検履歴として出力する。
【００７６】
（ステップＳＤ１９）
図３に示す携帯端末３の出力情報生成部３３７は、図３に示す携帯端末３の記録部３７に記録された点検結果情報ＫＩに基づいて、点検結果を、点検履歴管理画面、点検履歴詳細画面、及び現場画像画面において出力するように構成される。
【００７７】
図１５は、実施形態に係る携帯端末の入出力部に出力される点検履歴管理画面の一例を示す図である。図１５に示すように、出力情報生成部３３７は、点検管理システム１からの点検履歴情報ＨＩ又は記録部３７に記録された点検結果情報ＫＩに基づいて、点検結果の出力画面の一例である点検履歴管理画面Ｓ７において、閉館業務Ａにおける点検結果を、ビーコン受信日時（点検者ＵＢが各点検対象に到着した時間）及び点検日時（点検者ＵＢにより各点検対象についての点検結果が入力された時間）の少なくとも一方に関連づけて出力するための出力情報を生成する。なお、ビーコンを受信したことにより点検結果の入力が許容されるので、通常、ビーコン受信日時（点検者ＵＢが点検対象に到着した時間）より点検日時（点検者ＵＢにより点検結果が入力された時間）の方が、後の時間になると考えられる。しかしながら、ビーコン受信日時及び点検日時は同一の時間であってもよい。また、点検履歴管理画面Ｓ７は、後述する図１６に示す点検履歴詳細画面Ｓ９を出力するためのボタンＢ１１と、後述する図１７に示す現場画像画面Ｓ１１を出力するためのボタンＢ１３と、を含む。このような点検履歴管理画面を出力することで、点検対象に到着した時間及び実際に点検対象を点検した時間を正確に把握することができる。
【００７８】
図１６は、実施形態に係る携帯端末の入出力部に出力される点検履歴詳細画面の一例を示す図である。図１６に示すように、図１５に示す点検履歴管理画面Ｓ７上のボタンＢ１１が選択された場合、出力情報生成部３３７は、点検管理システム１からの点検履歴情報ＨＩ又は記録部３７に記録された点検結果情報ＫＩに基づいて、点検結果の出力画面の一例である点検履歴詳細画面Ｓ９において、閉館業務Ａ／Ｓ棟／３Ｆ／第２出入口施錠における点検結果の詳細を出力するための出力情報を生成する。
【００７９】
図１７は、実施形態に係る携帯端末の入出力部に出力される現場画像画面の一例を示す図である。図１７に示すように、図１５に示す点検履歴管理画面Ｓ７上のボタンＢ１３が選択された場合、出力情報生成部３３７は、点検管理システム１からの点検履歴情報ＨＩ又は記録部３７に記録された点検結果情報ＫＩに基づいて、点検結果の出力画面の一例である現場画像画面Ｓ１１において、図３に示す撮像部３９によりＳ棟／３Ｆ／第２出入口（点検対象）が撮像されることにより得られた画像情報を点検対象に関連付けて出力するための出力情報を生成する。このような現場画像画面を出力することで、点検対象の状況をより正確に把握することができる。
【００８０】
以上説明したように、本実施形態によれば、点検者が点検対象に到着した場合に当該点検対象における点検結果の入力が許容され、入力を受け付け点検結果として管理する。このように、点検者が点検するために点検対象に実際に立ち寄ったことが確認された場合に限り、当該点検対象における点検結果の入力が許容され、点検結果を管理することができるので、適切に点検進捗を管理できる。
【００８１】
（他の実施形態）
上記各実施形態は、本発明の理解を容易にするためのものであり、本発明を限定して解釈するものではない。本発明はその趣旨を逸脱することなく、変更／改良（たとえば、各実施形態を組み合わせること、各実施形態の一部の構成を省略すること）され得るとともに、本発明にはその等価物も含まれる。
【００８２】
図１８（Ａ）は、実施形態に係る携帯端末の入出力部に出力される点検作業選択画面の一例を示す図であり、図１８（Ｂ）は、携帯端末の入出力部に出力される緊急通知画面の一例を示す図である。図１８（Ａ）及び（Ｂ）に示すように、出力情報生成部３３７は、例えば、点検作業選択画面Ｓ３において、不図示の緊急通話専用ボタンを点検者が選択すると、入出力部３５のディスプレイ上において点検作業選択画面Ｓ３が緊急通知画面Ｓ１３に切り換わるように出力情報を生成するように構成されている。そして、点検者は、緊急通知ボタンＢ１５を選択すると、緊急対応センターに通知が送信されるように構成される。なお、携帯端末において緊急通知ボタンＢ１５が選択されると、緊急対応センターに対して緊急通話をするための通話リクエストを送信するように構成されてもよい。また、図１８の例では、入出力部３５のディスプレイ上において点検作業選択画面Ｓ３が緊急通知画面Ｓ１３に切り換わる例を示したが、点検結果入力画面、点検履歴管理画面、点検履歴詳細画面、又は、現場画像画面から緊急通知画面Ｓ１３に切り換わるように構成されてもよい。このようにいかなる画面からも緊急通知画面Ｓ１３に切り換わるように構成されれば、即座に緊急対応センターに通知を送ることができる。
【００８３】
図１９は、実施形態に係る携帯端末の入出力部に出力される点検作業選択画面の一例を示す図である。図１９に示すように、図３に示す携帯端末３の出力情報生成部３３７は、点検管理サーバ１からの画面情報及び入力された点検結果に基づいて、未だ点検作業が未完了である点検ブロックのみを含む点検作業選択画面Ｓ３を生成する出力情報を生成するように構成されてもよい。このような点検作業選択画面を出力すれば、未だ点検作業が未完了である点検ブロックを一見して把握容易となる。
【００８４】
また、上記実施形態においては、図３に示すように、出力情報生成部３３７は、携帯端末３が備える。しかしながら、出力情報生成部３３７は、図１に示す点検管理サーバ１が備えてもよい。この場合、点検管理サーバ１の出力情報生成部は、生成した出力情報を携帯端末３に送信し、携帯端末３の入出力部３５のディスプレイにおいて出力情報に応じた画面を表示する。また、図３に示すように、携帯端末３が備える到着判断部３３１及び入力可否判定部３３３についても、点検管理サーバ１が備えていてもよい。この場合、点検管理サーバ１が判定した入力可否判断結果を携帯端末３に送信し、入力が許可されたことを携帯端末３が把握した場合のみ、点検者からの点検結果の入力を受け付けるように構成されてもよい。また、他の構成についても、処理内容に矛盾を生じない範囲で、点検管理サーバ１又は携帯端末３のいずれが備えるものとしてもよい。
【００８５】
図４において説明した各処理ステップは処理内容に矛盾を生じない範囲で任意に順番を変更して又は並列に実行することができる。図４において、例えば、ステップＳＳ３とステップＳＳ５とは、並列に実行されてもよいし、ステップＳＳ３及びステップＳＳ５に対応してステップＳＤ３とステップＳＤ５とは、並列に実行されてもよい。なお、他のステップについても、処理内容に矛盾を生じない範囲で、適宜順番を変更して又は並列に実行されてもよい。
【符号の説明】
【００８６】
１…点検管理サーバ、３…携帯端末、１１，３３…情報処理部、１３，３７…記録部、１５，３１…通信部、３５…入出力部、３９…撮像部、ビーコン装置５０、１１１…認証処理部、１１３…点検内容設定部、１１５…点検ルート検索部、１１７…点検履歴管理部１１７、３３１…到着判断部、３３３…入力可否判定部、３３５…点検結果管理部、３３７…出力情報生成部、１００…点検管理システム、Ｕ…点検者
【図１】
2018180700.tif 000003
【図２】
2018180700.tif 000004
【図３】
2018180700.tif 000005
【図４】
2018180700.tif 000006
【図５】
2018180700.tif 000007
【図６】
2018180700.tif 000008
【図７】
2018180700.tif 000009
【図８】
2018180700.tif 000010
【図９】
2018180700.tif 000011
【図１０】
2018180700.tif 000012
【図１１】
2018180700.tif 000013
【図１２】
2018180700.tif 000014
【図１３】
2018180700.tif 000015
【図１４】
2018180700.tif 000016
【図１５】
2018180700.tif 000017
【図１６】
2018180700.tif 000018
【図１７】
2018180700.tif 000019
【図１８】
2018180700.tif 000020
【図１９】
2018180700.tif 000021